(57)【要約】【課題】本実施の形態は、カード基材に転写された保護膜のばりを除去できるカード作成装置を提供することである。【解決手段】実施形態のカード作成装置は、画像形成部２２と、転写部２３と、ポリッシュ部（除去部）２６と、を備える。画像形成部２２は、カード基材１１の表面１１ａに画像を形成する。転写部２３は、膜基材４６ａおよび膜基材４６ａに重ねられた保護膜４６ｂを有した転写リボン（転写体）４６Ｂの保護膜４６ｂを、画像が形成されたカード基材１１の一面に転写する。ポリッシュ部２６は、転写部２３から作成済みのカード１０を集積するカードスタッカ（カード集積部）２９まで搬送される中段搬送路２０ｂ１の途中に設けられ、カード基材１１の周囲に発生し、カード基材１１に転写された保護膜４６ｂのばり４６ｃをカード基材１１のブラッシングによって除去する。【選択図】図１
2014083814.tif 000002
【特許請求の範囲】
【請求項１】
カード基材の一面に画像を形成する画像形成部と、
膜基材および前記膜基材に重ねられた膜を有した転写体の前記膜を、前記画像が形成された前記カード基材の一面に転写する転写部と、
前記転写部から作成済みのカードを集積するカード集積部まで搬送される搬送路の途中に設けられ、前記カード基材の周囲に発生し、前記カード基材に転写された前記膜のばりを前記カード基材のブラッシングによって除去する除去部と、
を備えたカード作成装置。
【請求項２】
前記除去部は、前記搬送路による前記カード基材の搬送中に前記膜のばりと当たることで前記ばりを掻き落として除去するブラシ部を有する請求項１に記載のカード作成装置。
【請求項３】
前記カード基材は、扁平な矩形板状に形成され、
前記除去部は、前記搬送路上を搬送される前記カード基材に前記膜が転写された前記膜の転写面と対向する方向から前記ブラシ部を当接させる第１ブラシユニットと、
前記搬送路上を搬送される前記カード基材の両側部に前記ブラシ部を当接させる第２ブラシユニットと
を有する請求項２に記載のカード作成装置。
【請求項４】
前記第１ブラシユニットは、軸体と、この軸体の外周面に植設されたブラシ毛とを有するブラッシングローラを備え、
前記軸体の中心線方向が前記搬送路上を搬送される前記カード基材の搬送方向に対して直交する方向に配置され、
前記軸体の外周面における前記ブラシ毛間に前記ブラシ毛が植設されていない空隙部が形成されている請求項３に記載のカード作成装置。
【請求項５】
前記空隙部は、前記軸体の外周面における前記ブラシ毛間にほぼ螺旋状に沿って形成されている螺旋タイプである請求項４に記載のカード作成装置。
【請求項６】
前記第２ブラシユニットは、軸体と、この軸体の外周面に植設されたブラシ毛とを有する２つのブラッシングローラを備え、
前記２つのブラッシングローラは、前記搬送路上を搬送される前記カード基材の両側にそれぞれ配置されている請求項３に記載のカード作成装置。
【請求項７】
前記２つのブラッシングローラは、前記軸体の中心線方向が前記搬送路上を搬送される前記カード基材の搬送方向に対して直交する方向に配置され、
かつ前記カード基材の搬送方向に対して直交する方向に移動可能に支持されている請求項６に記載のカード作成装置。
【請求項８】
前記２つのブラッシングローラは、前記軸体の中心線方向が前記搬送路上を搬送される前記カード基材の搬送方向に対して直交する方向から傾斜させた状態で配置されている請求項６に記載のカード作成装置。
【請求項９】
前記第１ブラシユニットおよび前記第２ブラシユニットの各ブラッシングローラの少なくともいずれか一方は、前記搬送路上に沿って前記カード基材を搬送させる搬送機構の駆動ローラの回転を逆回転状態で回転させるブラッシングローラ回転駆動機構によって回転駆動される請求項４、６のうち少なくともいずれか一項に記載のカード作成装置。
【請求項１０】
前記ブラッシングローラ回転駆動機構は、前記搬送機構の駆動ローラと前記ブラッシングローラの駆動ローラとの間を丸ベルトを介して連結し、前記丸ベルトをクロスさせることで前記搬送機構の駆動ローラの回転を逆回転させる逆回転手段を有する請求項９に記載のカード作成装置。
【請求項１１】
前記搬送路は、前記除去部に前記カード基材を１回通過させた後、前記カード基材の搬送方向を逆転させて前記除去部を逆方向に進行させ、再度、前記除去部に前記カード基材を通過させる動作を少なくとも１回繰り返す繰り返し手段を有する請求項１に記載のカード作成装置。
【発明の詳細な説明】
【技術分野】
【０００１】
本発明の実施形態は、カード作成装置に関する。
【背景技術】
【０００２】
従来から、例えばＩＤカードなどのカードを作成するカード作成装置が知られている。カード作成装置では、印刷したカードの表面に、これらを保護する表面保護層を転写し形成することが行なわれている。熱転写型カード作成装置においては、カード基材を搬送する搬送路の途中でオーバーコートリボン（保護膜）をカード基材側へ熱圧着転写してカードを作成する。
【先行技術文献】
【特許文献】
【０００３】
【特許文献１】特開２００１−１６７３号公報
【発明の概要】
【発明が解決しようとする課題】
【０００４】
オーバーコートリボン（保護膜）をカード基材側へ熱圧着転写する際に、作成されたカードの端面（カードエッジ）に余剰な転写バリ（保護膜のばり）が残存することがある。このような転写バリは、カード基材の周囲に発生し易い。例えば、熱転写されたオーバーコートはその材料特性から環境、機体間ばらつき、熱ばらつき、カード表面状態により張付き力にばらつきが生じる。特にカード先端のいわゆる剥がし始めは、剥離力のなかでもっとも高く、不安定となっている。カード後端については、転写膜がカード側とリボンのべースフィルム側に分かれるため、カードエッジに沿ってうまく切れない場合、バリとなって発生する。転写後、余分な転写バリは、搬送中に剥がれ、カード作成装置の機体内を浮遊し、印画や印字に影響を及ぼす場合がある。剥がれた転写バリがローラに付着すると搬送ジャムを引き起こす原因となる。また、転写バリがあると、完成状態における印刷媒体の美観が損ねられる。
【０００５】
本実施の形態は上記事情に着目してなされたもので、カード基材に転写された保護膜のばりを除去できるカード作成装置を提供することにある。
【課題を解決するための手段】
【０００６】
実施形態のカード作成装置は、画像形成部と、転写部と、除去部と、を備える。前記画像形成部は、カード基材の一面に画像を形成する。前記転写部は、膜基材および前記膜基材に重ねられた膜を有した転写体の前記膜を、前記画像が形成された前記カード基材の一面に転写する。前記除去部は、前記転写部から作成済みのカードを集積するカード集積部まで搬送される搬送路の途中に設けられ、前記カード基材の周囲に発生し、前記カード基材に転写された前記膜のばりを前記カード基材のブラッシングによって除去する。
【図面の簡単な説明】
【０００７】
【図１】図１は、第１の実施の形態のカード作成装置全体の構成の一例を正面から見て示す概略構成図。
【図２】図２は、第１の実施の形態のカード作成装置を概略的に示すブロック図。
【図３】図３は、第１の実施の形態のカード作成装置で作成されるカードの一例を示す平面図。
【図４】図４は、図３のＩＶ−ＩＶ線断面図。
【図５】図５は、第１の実施の形態にかかる保護膜が転写される保護膜転写部の転写動作の一例を示す要部の側面図。
【図６】図６は、第１の実施の形態にかかる保護膜が転写された状態のカード基材を示す平面図。
【図７】図７は、第１の実施の形態のカード作成装置にかかるポリッシュ部を示す斜視図。
【図８】図８は、第１の実施の形態のカード作成装置にかかるポリッシュ部の内部構成を示す側面図。
【図９】図９は、第１の実施の形態のカード作成装置にかかるポリッシュ部のカード上面用ブラシおよびカード側面用ブラシの組み付け状態を示す正面図。
【図１０】図１０は、第１の実施の形態のカード作成装置にかかるポリッシュ部のブラッシングローラ回転駆動機構の一例を示す斜視図。
【図１１】図１１は、第１の実施の形態のカード作成装置にかかるポリッシュ部を通るカードの搬送状態を示す側面図。
【図１２】図１２は、第１の実施の形態のカード作成装置にかかるポリッシュ部を通るカードの搬送状態を示す平面図。
【図１３】図１３（Ａ）は、第１の実施の形態のカード作成装置にかかるカード上面用ブラシを一部断面にして示す側面図、図１３（Ｂ）は、図１３（Ａ）中の矢印１３Ｂ部分を拡大して示す側面図。
【図１４】図１４は、第１の実施の形態のカード作成装置にかかるポリッシュ部のカード上面用ブラシにカードが当接する直前の動作状態を示す側面図。
【図１５】図１５は、第１の実施の形態のカード作成装置にかかるポリッシュ部のカード上面用ブラシにカードが当接した動作状態を示す側面図。
【図１６】図１６は、第１の実施の形態のカード作成装置にかかるポリッシュ部のカード上面用ブラシにカードを逆方向に進行させて当接させる直前の動作状態を示す側面図。
【図１７】図１７は、第１の実施の形態のカード作成装置のカード上面用ブラシの第１の変形例を示す正面図。
【図１８】図１８は、第１の実施の形態のカード作成装置のカード上面用ブラシの第２の変形例を示す正面図。
【図１９】図１９は、第１の実施の形態のカード作成装置のカード側面用ブラシの第１の変形例を示す正面図。
【図２０】図２０は、第１の実施の形態のカード作成装置のカード側面用ブラシの第２の変形例を示す正面図。
【発明を実施するための形態】
【０００８】
［第１の実施の形態］  
（構成）  
図１乃至図１６は、本発明の第１の実施の形態を示す。図１は、第１の実施形態に係るカード作成装置全体の構成の一例を正面から見て示す概略構成図、図２は、カード作成装置の制御ブロック図である。
【０００９】
図１に示されるカード作成装置１は、一例として、図３に示される例えばＩＤカードなどのカード（カード媒体）１０を作成する。以下、カード１０、カード作成装置１の順に詳細に説明する。
【００１０】
カード１０は、図３および図４に示されるように、一例として、扁平な矩形板状（直方体状）の外観を呈している。カード１０は、カード基材１１と、保護膜１２と、を有している。
【００１１】
カード基材１１は、一例として、ポリエチレンテレフタレート（ＰＥＴ）からなる層を複数積層して形成され、扁平な矩形板状の外観を呈している。カード基材１１には、一例として、ＩＣチップおよびアンテナが埋め込まれている。ＩＣチップは、ＣＰＵ、ＲＯＭ、ＲＡＭ、ＥＥＰＲＯＭ、暗号処理用のプロセッサ、通信回路を内蔵している。アンテナは、カード基材１１の周縁に沿って環状に配設されてＩＣチップに接続されている。ＩＣチップは、アンテナを介して情報を送受信する。つまり、カード１０は、無線で情報を書き込み、読み出し可能な無線カード（非接触式カード）として構成されている。
【００１２】
カード基材１１は、表面（画像形成面）１１ａとこの表面１１ａの反対側の裏面１１ｂとを有している。表面１１ａには、種々の識別情報を示す画像が形成されている。識別情報としては、例えば、カード所有者の顔画像１３、カード保有者の住所、氏名、生年月日、カード有効期限、登録番号等の文字情報１４等である。顔画像１３は、一例として、フルカラーで形成され、文字情報１４は、一例として、黒あるいは他の任意の色で印字されている。また、表面１１ａには、印刷された識別情報に重ねて、紫外線（ＵＶ）遮蔽膜（図示されず）と保護膜１２とが順に積層されている。紫外線遮蔽膜と保護膜１２とは、透明な膜である。紫外線遮蔽膜は、一例として、表面１１ａのうち顔画像１３が形成された部分にだけ部分的に設けられて、顔画像１３を被覆している。保護膜１２は、一例として、表面１１ａの全体または略全体を被覆している。なお、カード基材１１の表面１１ａには、識別情報以外の模様、マーク等の画像が予め形成されていてもよい。
【００１３】
また、カード基材１１は、長手方向Ａ１の２つの端部１１ｃ，１１ｄと、短手方向Ａ２の２つの端部１１ｅ，１１ｆとを有している。カード基材１１の短手方向Ａ２は、長手方向Ａ１と交差（直交）している。
【００１４】
次に、カード作成装置１について説明する。カード作成装置１は、図１に示されるように、筐体２０を有している。筐体２０は、一例として、略直方体状の外観を呈している。筐体２０の内部は、上下方向に複数段、例えば本実施の形態では３段（上段部２０ａ、中段部２０ｂ、下段部２０ｃ）に仕切られている。
【００１５】
筐体２０の上段部２０ａは、供給部２１と、画像形成部２２と、遮蔽膜転写部２３とが並んで設けられている。そして、供給部２１から送り出されたカード基材１１を画像形成部２２、および遮蔽膜転写部２３の順に搬送させる上段搬送路２０ａ１が形成されている。上段搬送路２０ａ１の終端部には中段部２０ｂと連結されたエレベーター部２４が配設されている。上段搬送路２０ａ１の終端部に搬送されたカード基材１１は、このエレベーター部２４によって、筐体２０の中段部２０ｂに搬送される。エレベーター部２４は、カード基材１１の表面１１ａが上方を向いた状態でカード基材１１が中段搬送路２０ｂ１に搬入されるように、カード基材１１の搬送方向を変換する。
【００１６】
筐体２０の中段部２０ｂには、エレベーター部２４に続いて、保護膜転写部２５と、ポリッシュ部（除去部）２６と、カード読み取り部（ＯＣＲ部）２７と、カード書き込み部２８と、カードスタッカ（カード集積部）２９とが順に並んで設けられている。そして、エレベーター部２４から送り出されたカード基材１１を保護膜転写部２５、ポリッシュ部２６、カード読み取り部２７、カード書き込み部２８およびカードスタッカ２９の順に搬送させる中段搬送路２０ｂ１が形成されている。
【００１７】
また、筐体２０の下段部２０ｃには、集塵部３１と、カード作成装置１の各部を制御してカード作成を制御する印刷装置制御部３２と、が設けられている。印刷装置制御部３２は、上位制御装置である外部装置３３と通信可能に接続されている。
【００１８】
図２の制御ブロック図に示すように、外部装置３３は、主制御部１０２と、制御情報を格納するメモリ１０４と、インターフェース１０６と、操作パネル１０８と、印刷する画像を入力する画像入力部１１０と、印字情報を入力する文字情報入力部１１２とを備えている。
【００１９】
印刷装置制御部３２は、インターフェース１０６を介して外部装置３３に接続され、外部装置３３からの指示に応じて、カード作成装置１の各ユニットおよび装置の動作を制御する。画像形成部２２は、図示しないインクリボンを用いてカード基材表面に画像を形成するサーマルヘッド１２６、このサーマルヘッドを制御するヘッド制御部１２４、ヘッド制御部に画像データを供給する画像処理部１２２を備えている。
【００２０】
供給部２１および他のユニット、装置は、カード取込機構１３４、カード搬送機構１３６、転写部搬送機構１３８、排出搬送機構１４０、これらの動作を制御するカード搬送、制御部１３２を備えている。遮蔽膜転写部２３および保護膜転写部２５は、ヒートローラを昇降するヒートローラ昇降機構１４４、ヘッド昇降機構１４６、転写剥離機構１４８、これらの動作を制御する転写、剥離、制御部１４２を備えている。
【００２１】
さらに、ポリッシュ部２６、カード読み取り部２７、カード書き込み部２８、カードスタッカ２９は、カード取込機構１５０、カード搬送機構１５２、ＩＣ−Ｒ／Ｗ機構１５４、キャリッジ搬送機構１５６、カード集積機構１５８、集塵機構１６０、これらの動作を制御するカード搬送、ＩＣ−Ｒ／Ｗ制御部・集積・集塵制御部１６２を備えている。
【００２２】
供給部２１は、図示しないカードホッパと、ピックアップローラと、を有している。カードホッパは、表面１１ａを上にした複数枚のカード基材１１を水平状態で積層収納する。ピックアップローラは、カードホッパの下端部に設けられ、カードホッパ内に積層されたカード基材１１を最下部のカード基材１１から順に１枚ずつ送り出して画像形成部２２へ供給する。
【００２３】
画像形成部２２は、供給部２１から供給されたカード基材１１の表面１１ａに画像（識別情報）を形成する。画像形成部２２は、カラー画像印画部３６および印字部３７を有している。
【００２４】
カラー画像印画部３６は、識別情報としてカード保有者の顔画像を含むカラー画像を形成するものである。なお、カラー画像は、カラー文字を含んでいてよい。カラー画像印画部３６は、カード基材１１の搬送方向に沿って順次配列されたイエロー印画部３６Ｙ、マゼンダ印画部３６Ｍ、シアン印画部３６Ｃを有し、イエロー印画部３６Ｙ、マゼンダ印画部３６Ｍ、およびシアン印画部３６Ｃによってカード基材１１の表面１１ａにイエロー、マゼンダ、シアンの３色を逐次重ね合わせて昇華熱転写によって画像を形成する。一方、印字部３７は、識別情報として文字を黒色で溶融熱転写によって形成するものである。なお、一般に、溶融熱転写による画像形成は、昇華熱転写による画像形成と比較して画像のエッジがシャープであるため、文字画像の形成に適している。
【００２５】
各印画部３６Ｙ、３６Ｍ、３６Ｃおよび印字部３７は、図示しないプラテンローラ、サーマルプリントヘッド、およびリボン送り機構を有している。各印画部３６Ｙ、３６Ｍ、３６Ｃおよび印字部３７では、プラテンローラとサーマルプリントヘッドとがカード基材１１を挟持した状態で、カード基材１１の表面１１ａとサーマルプリントヘッドとの間に、インクリボンが介在する。なお、各印画部３６Ｙ、３６Ｍ、３６Ｃおよび印字部３７では、それぞれに対応したインクリボンが用いられる。そして、プラテンローラによるカード基材１１の搬送およびリボン送り機構によるインクリボンの送りが行われながら、サーマルプリントヘッドによってインクリボンのインクがカード基材１１の表面１１ａに転写される。
【００２６】
遮蔽膜転写部２３および保護膜転写部２５は、カード基材１１の表面１１ａに膜を形成するものであり、膜形成部を構成している。遮蔽膜転写部２３は、カード基材１１の表面１１ａに紫外線遮蔽膜を形成する。一方、保護膜転写部２５は、紫外線遮蔽膜に重ねて紫外線硬化型の保護膜４６ｂ（図５参照）をカード基材１１の表面１１ａに転写する。
【００２７】
遮蔽膜転写部２３および保護膜転写部２５は、図５に示すように発熱体を内蔵したヒートローラ４３、バックアップローラ４４、および図示しないリボン送り機構を有している。遮蔽膜転写部２３および保護膜転写部２５では、ヒートローラ４３とバックアップローラ４４とがカード基材１１を挟持した状態で、カード基材１１の表面１１ａとヒートローラ４３との間に、転写リボン４６が介在する。転写リボン４６としては、遮蔽膜転写部２３には、透明なＵＶ遮蔽膜（層）が形成された転写リボン４６Ａが用いられ、保護膜転写部２５には、透明な保護膜４６ｂ（図５参照）が形成された転写リボン４６Ｂが用いられる。そして、バックアップローラ４４によるカード基材１１の搬送およびリボン送り機構による転写リボン４６の送りが行われながら、ヒートローラ４３に転写リボン４６のＵＶ遮蔽膜や保護膜４６ｂを押し当てた状態で、ヒートローラ４３によって膜（ＵＶ遮蔽膜や保護膜１２）を加熱することで、膜（ＵＶ遮蔽膜や保護膜４６ｂ）をカード基材１１の表面１１ａに感熱転写する。
【００２８】
図５には、保護膜転写部２５の転写動作の過程の一例が示されている。転写リボン（転写体）４６Ｂは、膜基材４６ａおよび膜基材４６ａに重ねられた保護膜（転写膜）４６ｂを有している。膜基材４６ａは、長尺状のシート状部材である。保護膜４６ｂは、一例として、膜基材４６ａの一面に設けられている。保護膜４６ｂは、紫外線硬化性を有し、紫外線を受けることで硬化する。転写リボン４６Ｂは、ヒートローラ４３に沿って湾曲されて保護膜転写部２５にセットされている。保護膜転写部２５では、転写リボン４６Ｂにおいてヒートローラ４３に重なった部分の保護膜４６ｂが膜基材４６ａから剥離してカード基材１１の表面１１ａに転写される。このとき、本実施形態では、カード基材１１の表面１１ａには、先端側の端部１１ｃから後端側の端部１１ｄに向けて保護膜４６ｂが転写され、最終的に表面１１ａの全域（または略全域）に、保護膜４６ｂが転写される。このように、保護膜転写部２５は、膜基材４６ａおよび膜基材４６ａに重ねられた保護膜４６ｂを有した転写リボン４６Ｂの保護膜４６ｂを、画像が形成されたカード基材１１の表面１１ａに転写する。
【００２９】
保護膜転写部２５による保護膜４６ｂの転写作業の際、一例として、図６に示されるように、カード基材１１に転写された保護膜４６ｂに、ばり４６ｃが発生することがある。ばり４６ｃは、一例として、転写された保護膜４６ｂのうちカード基材１１の表面１１ａからはみ出した部分（はみ出し部）である。図６では、便宜上、ばり４６ｃにハッチングが施されている。ばり４６ｃは、一例として、主にカード基材１１の搬送方向でのカード基材１１の後端側の端部１１ｄと、搬送方向と交差するカード基材１１の両側の端部１１ｅ，１１ｆと、に発生する。カード基材１１の搬送方向でのカード基材１１の前側の端部１１ｄでは、膜基材４６ａに対して保護膜４６ｂが良好に剥離されるため、ばり４６ｃの発生が抑制される。このように発生したばり４６ｃをブラッシングによって除去するために、本実施形態ではポリッシュ部２６が設けられている。
【００３０】
なお、カード基材１１に転写された保護膜４６ｂは、図示しない紫外線照射部によって紫外線を照射して硬化させることで、保護膜１２が形成される。カード基材１１の表面１１ａに転写された保護膜４６ｂは、紫外線が照射されると、短時間で急速に硬化して、保護膜１２となる。保護膜１２は、硬化によってその表面が非常に硬くなっており、オーバコート層に比較して表面に傷が着きにくいため、カード１０の耐久性が大幅に向上する。また、紫外線遮蔽膜は、保護膜４６ｂに紫外線を照射する際、表面１１ａに対する紫外線照射を遮蔽し、表面１１ａに形成された顔画像等のカラー画像の色落ち、劣化等を防止する。更に、カード１０の実際の使用において、紫外線遮蔽膜は、太陽光を遮蔽し、カラー画像の色落ち、劣化等を防止する。なお、本実施形態では、紫外線遮蔽膜がカード基材１１の表面１１ａに部分的に設けられているが、紫外線遮蔽膜は、カード基材１１の表面１１ａに全体的に設けられていてもよい。
【００３１】
カード読み取り部２７とカード書き込み部２８は、アンテナと、通信制御部と、を有している。通信制御部は、アンテナを介して、カード基材１１に内蔵されているＩＣチップに対して情報の読み書きを行う。通信制御部は、一例として、識別情報をＩＣチップに書き込む。
【００３２】
カードスタッカ２９は、保護膜４６ｂが形成されたカード基材１１を集積する集積部を有している。この集積部では、カード基材１１を表面１１ａが上を向いた状態で積層収納する。
【００３３】
図１に示されたポリッシュ部２６は、カード基材１１に転写された保護膜４６ｂのばり４６ｃをブラッシングによって除去するものである。ポリッシュ部２６は、保護膜転写部２５からカード読み取り部２７とカード書き込み部２８を経てカードスタッカ２９へ搬送させる中段搬送路２０ｂ１によるカード基材１１の搬送中にブラッシングによってばり４６ｃを除去する。
【００３４】
図７は、ポリッシュ部２６を示す斜視図、図８は、ポリッシュ部２６の内部構成を示す側面図である。図８に示すように筐体２０の中段部２０ｂでカード１０を搬送する中段搬送路２０ｂ１には、水平な搬送路に沿って配置されたガイド板５１、５２と、カード１０を挟んで搬送する複数の駆動ローラ５３とが設けられているとともに、各駆動ローラ５３に対して、従動ローラ５４が対向して設けられている。従動ローラ５４は、駆動ローラ５３に対して接離可能であるとともに、ばね（付勢部材）によって駆動ローラ５３に向けて付勢されている。駆動ローラ５３は、モータ（駆動源）によって駆動されることで、従動ローラ５４とによって挟持したカード基材１１を搬送する。本実施の形態では、駆動ローラ５３の駆動モータは、例えば正逆回転可能なモータによって形成されている。
【００３５】
図９に示すようにポリッシュ部２６には、カード基材１１の周囲に発生し、カード基材１１に転写された保護膜１２のばり４６ｃをカード基材１１のブラッシングによって除去する１つのカード上面用ブラシ（第１ブラシユニット）６１と、２つのカード側面用ブラシ（第２ブラシユニット）６２とを有する。本実施の形態では、中段搬送路２０ｂ１のカード基材１１の搬送方向に対して上流側に２つのカード側面用ブラシ６２が中段搬送路２０ｂ１を挟む状態で配置され、２つのカード側面用ブラシ６２の下流側にカード上面用ブラシ６１が近接状態で配置されている。
【００３６】
図１３（Ａ），（Ｂ）に示すようにカード上面用ブラシ６１は、例えばステンレス鋼などの芯金（軸体）６１ａと、この芯金６１ａの外周面の全面にブラシ毛が植設されたブラシ部６１ｂとを有するブラッシングローラを備えている。ブラシ部６１ｂは、ブラシ毛の長さＬがおおよそ２ｍｍ〜１．５ｍｍ程度の設定長さＬ１がよい。ブラシ毛の長さＬが、上記設定長さＬ１より短いとカード１０の搬送高さばらつきに対して、１ｍｍ〜１．５ｍｍ程度接触させる位置調整が困難になる。また、ブラシ毛の長さＬが、上記設定長さＬ１より長いとブラシ毛のクセ（植毛自身が湾曲したままもとに戻らない）がつきやすく、メンテナンス回数が増えてしまう。また、ブラシ毛のパイル材料は、例えばナイロンがもっともブラッシング効果がよく、ポリエステル、レーヨンなどでもよい。
【００３７】
カード上面用ブラシ６１の芯金６１ａは、支持フレーム６３に軸受部材６４を介して回転自在に支持されている。さらに、カード上面用ブラシ６１は、芯金６１ａの中心線方向が中段搬送路２０ｂ１上を搬送されるカード基材１１の搬送方向に対して直交する水平方向に配置されている。そして、中段搬送路２０ｂ１上を搬送されるカード基材１１に保護膜１２が転写された保護膜１２の転写面（表面１１ａ）と対向する方向（上方向）からブラシ部６１ｂを当接させる状態に配設されている。
【００３８】
また、図９に示すように例えば、カード上面用ブラシ６１の芯金６１ａの一端部には、プーリ６５が固定されている。このプーリ６５には、ブラッシングローラ回転駆動機構の無端状の丸ベルト６６が掛け渡されている。丸ベルト６６は、中段搬送路２０ｂ１のカード１０の搬送機構の駆動ローラ５３の端部に固定されたプーリ６７（図１０参照）と、カード上面用ブラシ６１のプーリ６５との間を連結している。ここで、ブラッシングローラ回転駆動機構は、丸ベルト６６をクロスさせるベルト駆動機構を構成することで中段搬送路２０ｂ１の駆動ローラ５３の回転を逆回転させる逆回転手段を有する。これにより、中段搬送路２０ｂ１のカード基材１１の搬送時には、カード基材１１が図１１中に矢印ｔ１で示す搬送方向に移動する動作に対してカード上面用ブラシ６１の回転方向を同図中に矢印ｒ１に示す回転方向に逆回転させることにより、ブラッシング効果を高めるようにしている。
【００３９】
カード側面用ブラシ６２は、芯金（軸体）６２ａと、この芯金６２ａの外周面の全面にブラシ毛が植設されたとブラシ部６２ｂとを有するブラッシングローラを備えている。２つのカード側面用ブラシ６２は、図１２に示すように中段搬送路２０ｂ１上を搬送されるカード基材１１の両側に配置され、かつ芯金６２ａの中心線方向が中段搬送路２０ｂ１上を搬送されるカード基材１１の搬送方向に対して直交する鉛直方向に配置されている。さらに、カード側面用ブラシ６２の芯金６２ａは、支持フレーム６８に軸受部材６９を介して回転自在に支持されている。そして、カード側面用ブラシ６２の２つのブラッシングローラは、中段搬送路２０ｂ１上を搬送されるカード基材１１の両側部にブラシ部６２ｂを当接させる状態に配設されている。
【００４０】
また、図９に示すように例えば、カード側面用ブラシ６２の芯金６２ａの下端部には、プーリ７０が固定されている。そして、カード側面用ブラシ６２のブラッシングローラ回転駆動機構は、カード上面用ブラシ６１のブラッシングローラ回転駆動機構と同様に構成されている。すなわち、カード側面用ブラシ６２のプーリ７０には、ブラッシングローラ回転駆動機構の無端状の丸ベルト７１が掛け渡されている。丸ベルト７１は、中段搬送路２０ｂ１のカード１０の搬送機構の駆動ローラ５３の端部に固定されたプーリ６７（図１０参照）と、カード側面用ブラシ６２のプーリ７０との間を連結している。ここで、ブラッシングローラ回転駆動機構は、丸ベルト７１をクロスさせるベルト駆動機構を構成することで中段搬送路２０ｂ１の駆動ローラ５３の回転を逆回転させる逆回転手段を有する。これにより、中段搬送路２０ｂ１のカード基材１１の搬送時に、カード基材１１が搬送方向に移動する動作に対してカード側面用ブラシ６２の回転方向を逆回転させることにより、ブラッシング効果を高めるようにしている。
【００４１】
本実施の形態では、中段搬送路２０ｂ１のカード１０の搬送機構は、ポリッシュ部２６にカード基材１１を１回通過させた後、カード基材１１の搬送方向を逆転させてポリッシュ部２６を逆方向に進行させ、再度、ポリッシュ部２６にカード基材１１を通過させる動作を少なくとも１回繰り返す繰り返し手段を有する。上記カード１０の搬送機構は、例えば、駆動ローラ５３の駆動モータを次の通り回転制御することで実施される。まず、駆動ローラ５３の駆動モータを正回転方向で回転させることでポリッシュ部２６にカード基材１１を１回通過させる。その後、カード基材１１の後端部１１ｄがカード上面用ブラシ６１を通過した状態が検出された時点で、駆動ローラ５３の駆動モータを逆回転方向に回転させることで、カード基材１１の搬送方向を逆転させてポリッシュ部２６を逆方向に進行させる。そして、逆方向に進行させたカード基材１１の前端部１１ｃがポリッシュ部２６の２つのカード側面用ブラシ６２を通過した状態が検出された時点で、駆動ローラ５３の駆動モータを正回転方向に回転させることで再度、ポリッシュ部２６にカード基材１１を通過させる動作が行なわれる。
【００４２】
なお、この繰り返し手段でポリッシュ部２６にカード基材１１を通過させる動作を繰り返す回数は、通常は１回で十分であり、粉塵の発生量などの条件に応じて繰り返し回数を適宜設定することができる。そして、ポリッシュ部２６を通過させたカード基材１１は、カードスタッカ２９に搬送されて集積される。カードスタッカ２９は、カード基材１１を表面１１ａが上を向いた状態で積層収納する。
【００４３】
図１に示される集塵部３１は、ポリッシュ部２６によって除去されたばり４６ｃを集めるものである。集塵部３１は、ダクト８１と、ファン８２と、フィルタ８３と、を有している。図７に示すようにポリッシュ部２６には、機械部分を覆うカバー８４が設けられている。このカバー８４には、集塵用のダクト８１の一端部が固定されている。ここで、ダクト８１の一端部の開口部（吸引口）は、カード上面用ブラシ６１およびカード側面用ブラシ６２の近傍位置に配置されている。
【００４４】
ダクト８１の他端部は、フィルタ８３を介してファン８２に連結されている。ファン８２は、一例として、シロッコファンである。集塵部３１の駆動時にはファン８２の駆動により、ポリッシュ部２６で除去されたばり４６ｃは、ダクト８１の吸引口に吸引される。この際、ファン８２の吸引力によってばり４６ｃは吸引口へ吸引される。そして、ダクト８１に入ったばり４６ｃはファン８２に吸引されて、フィルタ８３に捕らえられる。
【００４５】
なお、カード作成装置１には、上述した以外にも搬送機構やセンサなどが設けられている。制御部３２は、センサによってカード基材１１の通過タイミング、通過枚数等を検出し、その検出情報に応じて、カード作成装置１の各部の動作を制御する。
【００４６】
（作用）
次に、上記構成のカード作成装置１の作用について説明する。本実施の形態のカード作成装置１の駆動時には、筐体２０の上段部２０ａの供給部２１から送り出されたカード基材１１は、上段搬送路２０ａ１に沿って画像形成部２２、および遮蔽膜転写部２３の順に搬送される。その後、上段搬送路２０ａ１の終端部に搬送されたカード基材１１は、エレベーター部２４によって、筐体２０の中段部２０ｂに搬送される。さらに、エレベーター部２４から送り出されたカード基材１１は、中段搬送路２０ｂ１に沿って保護膜転写部２５、ポリッシュ部２６、カード読み取り部２７、カード書き込み部２８およびカードスタッカ２９の順に搬送され、一連のカード１０の作成作業工程が行なわれる。
【００４７】
上記一連のカード作成作業工程の中で、保護膜転写部２５による保護膜４６ｂの転写作業の際に、一例として、図６に示されるように、カード基材１１に転写された保護膜４６ｂに、ばり４６ｃが発生する。そして、中段搬送路２０ｂ１に沿って保護膜転写部２５からポリッシュ部２６に搬送された際に、ブラッシングによってばり４６ｃが除去される。
【００４８】
このポリッシュ部２６では、カード基材１１が前進方向（図１１中に矢印ｔ１で示す搬送方向）に搬送される場合は、例えば図１２中で上側のカード側面用ブラシ６２のブラシ部６２ｂは同図中で反時計回り方向に回転し、図１２中で下側のカード側面用ブラシ６２のブラシ部６２ｂは同図中で時計回り方向に回転する状態で保持されている。さらに、カード上面用ブラシ６１のブラシ部６１ｂは、図１１中に矢印ｒ１に示す反時計回り方向に回転する状態で保持されている。
【００４９】
そして、カード基材１１が２つのカード側面用ブラシ６２間を通る際に、カード基材１１の両側部１１ｅ、１１ｆにカード側面用ブラシ６２のブラシ部６２ｂが回転しながら接触する。このとき、カード基材１１の両側部１１ｅ、１１ｆに付着しているばり４６ｃは、回転しているカード側面用ブラシ６２のブラシ毛の先端と当接することによって掻き落とされる。
【００５０】
また、図１４に示すようにカード基材１１がカード上面用ブラシ６１のブラシ部６１ｂの下を通過する際に、図１５に示すように回転しているカード上面用ブラシ６１のブラシ毛の先端とカード基材１１とが当接することによってカード基材１１の前端部１１ｃに付着しているばり４６ｃが掻き落とされる。
【００５１】
また、ポリッシュ部２６にカード基材１１を１回通過させた後、カード基材１１の搬送方向を逆転させてポリッシュ部２６を逆方向に進行させ、再度、ポリッシュ部２６にカード基材１１を通過させる動作が行なわれる。このカード基材１１の後進動作時には、カード上面用ブラシ６１のブラシ部６１ｂおよび２つのカード側面用ブラシ６２のブラシ部６２ｂはそれぞれ前進動作時とは逆回転方向に回転される。そして、図１６に示すようにカード基材１１がカード上面用ブラシ６１のブラシ部６１ｂの下を通過する際に、図１６中に矢印で示すように時計回り方向に回転しているカード上面用ブラシ６１のブラシ毛の先端とカード基材１１とが当接することによってカード基材１１の後端部１１ｄに付着しているばり４６ｃが掻き落とされる。
【００５２】
続いて、カード基材１１が２つのカード側面用ブラシ６２間を通る際に、カード基材１１の両側部１１ｅ、１１ｆに付着しているばり４６ｃが回転しているカード側面用ブラシ６２のブラシ毛の先端と当接することによって掻き落とされる。
【００５３】
そして、逆方向に進行させたカード基材１１の前端部１１ｃがポリッシュ部２６の２つのカード側面用ブラシ６２を通過した状態が検出された時点で、駆動ローラ５３の駆動モータを正回転方向に回転させる状態に切替える。これにより、ポリッシュ部２６にカード基材１１を前進方向に搬送して通過させる２回目の搬送動作が行なわれ、前進方向の搬送によるばり４６ｃの除去作業が行なわれる。
【００５４】
上記ポリッシュ部２６にカード基材１１を前進方向に搬送して通過させる２回目の動作が終了するとカード基材１１は、カードスタッカ２９に搬送されて集積される。また、上記ポリッシュ部２６で除去されたばり４６ｃは、ファン８２の駆動により、集塵部３１の集塵用のダクト８１を経て吸引されてフィルタ８３に捕らえられる。
【００５５】
（効果）  
本実施の形態のカード作成装置１では、転写部２３からカードスタッカ２９まで搬送される中段搬送路２０ｂ１の途中にポリッシュ部２６を設け、カード基材１１の周囲に発生し、カード基材１１に転写された保護膜４６ｂのばり４６ｃをこのポリッシュ部２６でカード基材１１のブラッシングを行なうことによって除去する。これにより、カード１０の周囲に発生する転写ばり４６ｃを除去することができる。カード１０の周囲の転写ばり４６ｃの除去が出来るので、カード１０の出来栄えを安定かつ常に高品質なものを作成出来る。
【００５６】
ポリッシュ部２６に１つのカード上面用ブラシ６１と、２つのカード側面用ブラシ６２とを設け、中段搬送路２０ｂ１の上をカード基材１１が搬送される搬送動作中に、これらのブラシ６１、６２との接触によってカード基材１１の両側面・後端の転写ばり４６ｃを掻き落とす事で、媒体であるカード１０の美観が保て、廃棄率も低下出来る。廃棄率が下がる事で、余計な消耗品の使用を抑えられる。
【００５７】
ポリッシュ部２６によって除去されたばり４６ｃを集める集塵部３１を設け、ポリッシュ部２６で除去された転写ばり４６ｃを集塵部３１によって吸引してしまうため、機体内でのばり４６ｃなどの塵埃の浮遊が無くなる。そのため、カード搬送用のローラ５３、５４を汚すことがなくなり、連続かつ効率的にカード１０の搬送が可能となる。
【００５８】
ばり４６ｃを除去する手段をブラシ（植毛）構造にすることで、カード１０の搬送ばらつきに影響を受けることなく、常に一定のブラッシングが可能である。さらに、カード上面用ブラシ６１およびカード側面用ブラシ６２を回転駆動するブラッシングローラ回転駆動機構は、丸ベルト６６をクロスさせるベルト駆動機構によって構成している。そのため、各ブラシ６１，６２とカード１０との接触時に大きな抵抗力が作用した場合でも丸ベルト６６とプーリ６７との滑りによってこの接触抵抗を吸収することができる。その結果、各ブラシ６１，６２とカード１０との接触抵抗によってカード１０の搬送動作が停止してしまうおそれがなく、安定した動作を行なうことができる。
【００５９】
さらに、カード上面用ブラシ６１および２つのカード側面用ブラシ６２は、ブラッシングローラにすることで、ばり４６ｃの発生量に対応して回転数を調整することで除去能力が容易に向上できる。
【００６０】
また、本実施の形態では、カード基材１１の搬送動作中に、カード基材１１の搬送を停止することなくカード上面用ブラシ６１と、２つのカード側面用ブラシ６２とによってばり４６ｃの除去作業を行なうことができる。そのため、カード基材１１の搬送を停止させてばり４６ｃの除去作業を行なう場合に比べてカード作成速度を高めることができ、カード作成の作業効率を高めることができる。
【００６１】
［変形例］  
図１７は、第１の実施の形態（図１乃至図１６参照）のカード作成装置１のカード上面用ブラシ６１の第１の変形例を示す正面図である。本変形例は、芯金６１ａの外周面のブラシ部６１ｂにブラシ毛が植設されていないゼブラタイプの空隙部６１ｃが形成されている。このゼブラタイプの空隙部６１ｃは、芯金６１ａの外周面におけるブラシ毛間にブラシ毛の植設部全体の中心位置を境にその両側に互いに逆向きの回転方向にそれぞれほぼ螺旋状に延設されている２つの螺旋状空隙部６１ｃ１、６１ｃ２を形成したものである。
【００６２】
本変形例のゼブラタイプの空隙部６１ｃが形成されているカード上面用ブラシ６１を用いた場合には、ブラシ部６１ｂのブラシ毛に付着しないばり４６ｃは、カード上面用ブラシ６１の回転にともないブラシ部６１ｂの両側へ移動させることができる。そのため、カード上面用ブラシ６１のブラシ毛に付着したまま残留するばり４６ｃなどの粉塵の残量を少なくすることができ、カード上面用ブラシ６１のメンテナンス期間を延ばすことができる。さらに、ばり４６ｃの集積方向をカード上面用ブラシ６１の両側へ定めることができるので、集積されたばり４６ｃの回収などの処理作業を容易化することができる。
【００６３】
図１８は、第１の実施の形態のカード作成装置のカード上面用ブラシ６１の第２の変形例を示す正面図である。本変形例では、芯金６１ａの外周面のブラシ部６１ｂにブラシ毛が植設されていない螺旋タイプの空隙部６１ｄを設けたものである。本変形例の螺旋タイプの空隙部６１ｄは、芯金６１ａの外周面の全面のブラシ毛間にほぼ螺旋状に沿って連続的に形成されている。
【００６４】
本変形例の螺旋タイプの空隙部６１ｄが形成されているカード上面用ブラシ６１を用いた場合には、植毛に付着しないばり４６ｃは、カード上面用ブラシ６１の一方向へ移動させることができる。そのため、カード上面用ブラシ６１のブラシ毛に付着したまま残留するばり４６ｃなどの粉塵の残量を少なくすることができ、カード上面用ブラシ６１のメンテナンス期間を延ばすことができる。さらに、ばり４６ｃの集積方向をカード上面用ブラシ６１の一方向へ定めることができるので、集積されたばり４６ｃの回収などの処理作業を容易化することができる。
【００６５】
図１９は、第１の実施の形態のカード作成装置のカード側面用ブラシ６２の第１の変形例を示す正面図である。本変形例は、２つのカード側面用ブラシ６２がカード基材１１の搬送方向に対して直交する鉛直方向に移動可能に支持されている。そして、定期的にブラシ部６２ｂの位置を鉛直方向に移動させることにより、カード基材１１との接触によって磨耗したブラシ毛をカード基材１１との接触位置から外して磨耗していない良好な状態のブラシ毛をカード基材１１と接触させることができる。そのため、カード側面用ブラシ６２の交換周期を延ばすことができ、カード側面用ブラシ６２の耐久性の向上を図ることができる。
【００６６】
図２０は、第１の実施の形態のカード作成装置のカード側面用ブラシ６２の第２の変形例を示す正面図である。本変形例は、カード側面用ブラシ６２の２つのブラッシングローラは、芯金６２ａの中心線方向が中段搬送路２０ｂ１の上を搬送されるカード基材１１の搬送方向に対して直交する鉛直方向から所定の傾斜角度θで傾斜させた状態で配置されている。本変形例では、芯金６２ａの中心線方向をカード基材１１の搬送方向に対して直交する鉛直方向に向けた場合に比べてカード基材１１との接触させるカード側面用ブラシ６２のブラシ部６２ｂのブラシ毛の接触範囲を広くすることができる。そのため、カード基材１１との接触によってブラシ毛が磨耗する時間を長く伸ばすことができるので、定期交換を定めればメンテナンスが不要となり、かつ除去したばり４６ｃを一定の方向に落す効果が得られる。
【００６７】
以上、説明したとおり、これらの実施形態によれば、カード基材に転写された保護膜のばりを除去できるカード作成装置を提供することができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１０…カード、１１…カード基材、１１ａ…表面、２０ｂ１…中段搬送路、２２…画像形成部、２３…転写部、２６…ポリッシュ部（除去部）、２９…カードスタッカ（カード集積部）、４６ａ…膜基材、４６ｂ…保護膜、４６ｃ…ばり、４６Ｂ…転写リボン（転写体）。
【図１】
2014083814.tif 000003
【図２】
2014083814.tif 000004
【図３】
2014083814.tif 000005
【図４】
2014083814.tif 000006
【図５】
2014083814.tif 000007
【図６】
2014083814.tif 000008
【図７】
2014083814.tif 000009
【図８】
2014083814.tif 000010
【図９】
2014083814.tif 000011
【図１０】
2014083814.tif 000012
【図１１】
2014083814.tif 000013
【図１２】
2014083814.tif 000014
【図１３】
2014083814.tif 000015
【図１４】
2014083814.tif 000016
【図１５】
2014083814.tif 000017
【図１６】
2014083814.tif 000018
【図１７】
2014083814.tif 000019
【図１８】
2014083814.tif 000020
【図１９】
2014083814.tif 000021
【図２０】
2014083814.tif 000022